(57)【要約】【課題】魚長の測定が即座に行え、また狭い釣り舟でも作業が効率的に行える魚尺計付コンソールボックスを提供すること。【解決手段】本考案は、釣り用の魚尺計付コンソールボックスであって、舟の側壁に支持されて使用されるものであり、収納空間を有する筐体１と、該筐体１の上側に設けられてそれより左右に長いスケール板２とよりなり、スケール板の上面に目盛が設けられている魚尺計付コンソールボックス。【選択図】図４
0003213967.tif 000002
【実用新案登録請求の範囲】
【請求項１】
釣り用の魚尺計付コンソールボックスであって、
舟の側壁に支持されて使用されるものであり、
収納空間を有する筐体と、
該筐体の上側に設けられてそれより左右に長いスケール板とよりなり、
スケール板の上面に目盛が設けられていることを特徴とする魚尺計付コンソールボックス。
【請求項２】
前記スケール板の一部が前記筐体の上蓋を構成し、
前記上蓋が開閉自在に枢着されていることを特徴とする請求項１記載の魚尺計付コンソールボックス。
【請求項３】
前記目盛が前記上蓋を含む前記スケール板の全長にわたって連続して設けられていることを特徴とする請求項１又は２記載の魚尺計付コンソールボックス。
【請求項４】
前記スケール板が立壁縁部を有し、
左右の立壁縁部には一対の切り欠きが設けられていることを特徴とする請求項１〜３いずれか１項に記載の魚尺計付コンソールボックス。
【請求項５】
ステンレスよりなることを特徴とする請求項１〜４いずれか１項に記載の魚尺計付コンソールボックス。
【請求項６】
合成樹脂よりなることを特徴とする請求項１〜４いずれか１項に記載の魚尺計付コンソールボックス。
【考案の詳細な説明】
【技術分野】
【０００１】
本考案は釣り舟用のコンソールボックスに関し、狭い釣り舟で、設置の手間がなく即時に使用できる魚尺計として利用できる魚尺計付コンソールボックスに関する。
【背景技術】
【０００２】
レジャーとしての釣りは、年間を通じて全国的に親しまれている。
釣りを楽しむに際しては、釣り上げた魚の魚長を測り記録し、釣果を競うこと等が広く行われている。
【０００３】
魚長を測定する便宜のため、様々な魚尺計が開発されている。
例えば、特許文献１の魚尺計はつまみを有し、魚長が正確に測れると同時に魚尺計から魚を取り除いた際にも魚長を魚尺計から読み取ることができるもので、クーラーボックスの蓋板の裏面に貼着して使用するものである。
【０００４】
また、特許文献２の魚尺計はクーラーボックスの内蓋に設けられており、クーラーボックスと同時に洗浄できるため手間が省ける、クーラーボックスへの魚の保管又は魚のリリースが簡便に行えるという利点がある。
【先行技術文献】
【特許文献】
【０００５】
【特許文献１】特開２００４−１３２９４３号公報
【特許文献２】特開２００２−２４０８６８号公報
【考案の概要】
【考案が解決しようとする課題】
【０００６】
魚尺計は魚を釣り上げる作業の際には必要となるものではなく、魚を釣り上げた後、魚長を測る際に改めて魚尺計を準備する、或いは魚を釣り上げる前に予め魚尺計を準備する必要がある。
【０００７】
例えば特許文献１や特許文献２の魚尺計は、内蓋部分に魚尺計が取り付けられているため、使用する都度クーラーボックスの内蓋を開かなければならず即座に使用できない。
また、魚長を測定しようとする場合にはクーラーボックスの姿勢が安定せず、極端にはひっくり返る恐れがある。
【０００８】
特に、１〜２人用の小さい釣り舟を利用するような場合、上述のようなクーラーボックスが舟内の作業スペースを圧迫し、例えば、釣り針、ルアー等の釣り用品の交換作業が効率的に行い難い。
その際、釣り用品を別の収納箱から取り出さなくてはならなく面倒でもある。
【０００９】
尚、魚尺計を準備するためには、釣り舟の舵取りに使うオールを一旦、手放さざるを得ず、オールが流出してしまう恐れがある。
【００１０】
本考案は、上述の課題を受けて開発されたものである。
すなわち、本考案は魚長の測定が即座に行え、また、狭い釣り舟でも作業が効率的に行える魚尺計付コンソールボックスを提供することを目的とするものである。
【課題を解決するための手段】
【００１１】
本考案者等は鋭意検討の結果、収納空間を有する部分を魚尺計に設け舟の側壁に支持できるようにすることで上述の課題を解決可能であることを見出した。
本考案はこの知見に基づく。
【００１２】
本考案は（１）、釣り用の魚尺計付コンソールボックスであって、舟の側壁に支持されて使用されるものであり、収納空間を有する筐体１と、該筐体１の上側に設けられてそれより左右に長いスケール板２とよりなり、スケール板の上面に目盛が設けられている魚尺計付コンソールボックスに存する。
【００１３】
本考案は（２）、スケール板の一部が筐体の上蓋を構成し、上蓋が開閉自在に枢着されている上記（１）記載の魚尺計付コンソールボックスに存する。
【００１４】
本考案は（３）、目盛が上蓋を含むスケール板の全長にわたって連続して設けられている上記（１）又は（２）記載の魚尺計付コンソールボックスに存する。
【００１５】
本考案は（４）、スケール板が立壁縁部を有し、左右の立壁縁部には一対の切り欠きが設けられている上記（１）〜（３）のいずれか１つに記載の魚尺計付コンソールボックスに存する。
【００１６】
本考案は（５）、ステンレスよりなる上記（１）〜（４）のいずれか１つに記載の魚尺計付コンソールボックスに存する。
【００１７】
本考案は（６）、合成樹脂よりなる上記（１）〜（４）のいずれか１つに記載の魚尺計付コンソールボックスに存する。
【考案の効果】
【００１８】
本考案の魚尺計付コンソールボックスは、スケール板の上面に目盛が設けられていることにより、目盛りが露出していて常に魚尺計として即座の使用が可能である。
舟の側壁に支持されて使用されるものであり、簡単に舟に設置することができる。
収納空間を有する筐体１と、該筐体１の上側に設けられてそれより左右に長いスケール板２とよりなることで、スケール板の左右側が舟の側壁に支持され安定した状態で載置される。
魚尺計付コンソールボックスの下方がスペースとなり、また、筐体１にルアー等の釣り用品類を収納しておくことができるので、交換等の作業が効率的に行える。
【００１９】
本考案の魚尺計付コンソールボックスは、スケール板の一部が筐体の上蓋を構成し、上蓋が開閉自在に枢着されていることにより、散逸しがちなルアー等の釣り用品類を収納しておくことができ、その出し入れも簡単に行える。
【００２０】
本考案の魚尺計付コンソールボックスは、目盛が上蓋を含むスケール板の全長にわたって連続して設けられていることにより、スケール板の一端から上蓋にかかるような魚長の魚や、スケール板の全体に渡るような魚長の魚であっても、正確に魚長を測定することが可能である。
【００２１】
本考案の魚尺計付コンソールボックスは、スケール板が立壁縁部を有し、左右の立壁縁部には一対の切り欠きが設けられていることにより、切り欠きにオールを保持された状態で一時的に載置しておくことが可能であり、オールの流出を防ぐことができる。
また、長尺な竿の載置も同様に行える。
【００２２】
本考案の魚尺計付コンソールボックスは、ステンレスよりなることにより、防錆性、耐久性が高く、長期の使用に耐え得る。
【００２３】
本考案の魚尺計付コンソールボックスは、合成樹脂よりなることにより、軽量であり耐水性も高い。
【図面の簡単な説明】
【００２４】
【図１】図１は、魚尺計付コンソールボックスの正面図である。
【図２】図２は、魚尺計付コンソールボックスの平面図である。
【図３】図３は、魚尺計付コンソールボックスの斜視図である。
【図４】図４は、上蓋を開いた魚尺計付コンソールボックスの斜視図である。
【図５】図５は、魚尺計付コンソールボックスを舟に設置した場合の測定状態を示す説明図である。
【図６】図６は、魚尺計付コンソールボックスを舟に設置した場合の釣り用品を交換する状態を示す説明図である。
【考案を実施するための形態】
【００２５】
以下、必要に応じて図面を参照しつつ、本考案の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。更に、図面の寸法比率は図示の比率に限られるものではない。
【００２６】
本発明の魚尺計付コンソールボックスＡは、釣りの際に魚長を測るものとして使用されるものであり、例えば１〜２人用の舟Ｂの舟先の位置に設置して用いるものである。
【００２７】
図１は、魚尺計付コンソールボックスＡの正面図である。
この魚尺計付コンソールボックスＡは、舟の側壁２１に支持されて使用されるものであり、筐体１と、該筐体１の上側に設けられたスケール板２とよりなる。
スケール板２は、舟の側壁２１に支持される部分を形成するため筐体１より左右に長く設定されている。
筐体１は直方体状であり、後述する上蓋４が後側で蝶番によって枢着され開閉自在となっており、前側では留め具５により、閉じた状態で固定（すなわち施錠）することができる。
【００２８】
筐体１の内部は空洞（すなわち収納空間）であり、リール、テグス、ルアー等の釣り用品を収納することができ、また上蓋４を開くことにより、それらを適宜取り出すことができる。
筐体１に対して上蓋４が留め具５によって固定されていることにより、移動中やスポットでの釣りの最中、または魚長の測定中などに舟Ｂが揺動することがあっても上蓋４が不用意に開くことがない。
そのため、筐体１に収納された釣り用品が外に飛び出して散逸するのを防ぐことができ安全である。
また、上蓋４の開閉が容易であるため、舟上において筐体１に収納されているルアー等を取り出して交換等を容易に行うことができる。
【００２９】
ここで、上蓋４を筐体１に固定する留め具５としては、いわゆるパッチン金具（パッチン錠）が好ましく使用される。
その操作としては、取っ手（トリガー）を介して筐体側に設けられた金属製の環を、上蓋４（すなわちスケール板２の一部）に設けられた金属製の突起に引っ掛け、取っ手（トリガー）を摘まんで下側に引っ張ることによって筐体１と上蓋４を固定することができる。
これにより、筐体１と上蓋４が、上蓋４が閉まった状態で確実に固定される。
【００３０】
また、留め具５を外す（すなわち解錠する）場合には、取っ手を上側に持ち上げ、金属製の環を上蓋４に設けられた金属製の突起から外し、環を下側に引き下げる。この操作により筐体１と上蓋４の固定を解放することができる。
【００３１】
図２は、魚尺計付コンソールボックスＡの平面図である。
筐体１の上方には、長方形状のスケール板２が設けられている。
スケール板２の中央付近の一部は、筐体１の上蓋４を構成している。
【００３２】
スケール板２の上面には、その長さ方向に、上蓋４を含むスケール板２の全長に渡って印刷された目盛３が連続して設けられている。
目盛３は、例えば、後述する立壁縁部２１を起点に２ｃｍ刻みであり、１０ｃｍごとに太線となって数値も表示されている。
これにより、目盛３に記載された数字の視認性が高く、魚体をスケール板２の上に載せた状態で魚長を一目で測ることができる。
また、スケール板２の左右方向、すなわち舟Ｂの幅方向に収まる範囲で、大型の魚の魚長を測ることが可能となる。
【００３３】
スケール板２の上面周囲には一定の高さを有する立壁縁部２１が設けられている。
左右の立壁縁部２１には、一対の切り欠き６が設けられており、立壁縁部２１が一部欠けた状態にある。
切り欠き６は、オールＣを載置した際の保持スペースとして機能し、オールＢが載置された状態でオールＣを安定的に保持することが可能である。
すなわちオールＣはこの切り欠き６に嵌め込んだ状態で保持される。
この場合、切り欠き６は左右に一対形成されているので、１つの切り欠き６を１本のオールＣに対応させることで、２本のオールＣを保持することができる。
もっとも、切り欠き６の数や形成する位置は図以外のものも可能である。
【００３４】
立壁縁部２１が設けられていることにより、スケール板２に魚を載置した際に、魚体から滴った水滴が舟内に流出することがなく、作業中、衣服等５を濡らすことはない。
また、スケール板２に溜った水滴は、立壁縁部２１の切り欠き６を通って舟外に落下する。
【００３５】
図３は、魚尺計付コンソールボックスの斜視図であり、図４は、上蓋を開いた魚尺計付コンソールボックスの斜視図である。
スケール板２の中央付近の一部は、上述の通り筐体１の上蓋４を構成しており、開閉自在となっている。上蓋の一部は突出して直角に曲げられて摘まみ部４１となっている。
この摘まみ部４１は閉じた場合に立壁縁部２１の一部を構成する。
この摘まみ部４１を指で摘まんで操作することにより、上蓋４の開閉が容易に行える。
【００３６】
スケール板２は、筐体１と例えば当て板金具を使ったネジ止め等により固定されている。
図の場合、スケール板２と筐体１２との奥行が同じであるので、前面と後面が当て板金具を使ってネジ止めされている。
なお、スケール板２と筐体１とが、金属材である場合は、このように板金具を使ったネジ止めが好ましいが、両者がプラスチック材の場合は、接着が好ましく採用される。
また、魚尺計付コンソールボックスＡを図のように舟Ｂに設置した際に、魚尺計付コンソールボックスＡの下方にスペースができ、物を置いたり足を入れる等の用途に使える。
【００３７】
ところで、釣り上げた魚の魚長を測定する場合には、まず上蓋４は閉じた状態とする。
次に、スケール板２の上に測定しようとする魚を置く。
この際、立壁状の立壁縁部２１はスケール板２から魚が外方に滑り出すのを防止する。
次に、魚の口部分をスケール板の一端の立壁縁部２１に合わせて当接させ、一方の魚の尾端部分が示す目盛３を読む。
このようにして、即座に且つ正確に魚長を測定することができる。
上述した通り、上蓋４にはスケール板２に設けられた目盛３の一部が表示されているため、魚体がスケール板２の一端から、ちょうど上蓋４の上部にかかるような大きさであったとしても、一目で魚長を測定することが可能となる。
【００３８】
上蓋４を留め具５により筐体１に固定しておくことにより、波等により舟Ｂが大きく揺動したような場合であっても上蓋４が開くことがなく、魚長の測定を確実に行うことができる。
【００３９】
魚尺計付コンソールボックスＡ全体、すなわち筐体１及びスケール板２の素材には、耐久性の観点から金属材が用いられるが、特に防錆に優れたステンレスが好ましく採用される。
【００４０】
以下、魚尺計付コンソールボックスＡの使用方法について説明する。
図５は、魚尺計付コンソールボックスを舟に設置した場合の測定状態を示す説明図である。
釣り用の舟Ｂは周囲に側壁Ｂ１を有しており、スケール板２の左右の一部をこの側壁Ｂ１で支えることが可能である。
まず、舟Ｂを出す前に、魚尺計付コンソールボックスＡを、スケール板２が舟Ｂの側壁Ｂ１に引っ掛かるように設置する。
この際、ルアーやテグス等、釣りのスポットでの交換のため等、出し入れしたい釣り用品を筐体１の中に収納しておく。
上蓋４は、通常時には留め具５を施錠し開かないような状態としておく。
【００４１】
そして、舟Ｂを操作し釣りのスポットに移動し、釣りを開始する。
魚を釣り上げたら、釣り針を外し、スケール板２の上に釣り上げた魚を置いて上述の方法により、即座に魚長を測定する。
魚長を測定する際は、真上から目盛３を読むことにより、正確な測定が可能となる。
測定した魚長を記録した後、釣り上げた魚はそのままリリースする、或いはクーラーボックスに収納する等、適宜の方法により処分する。
この場合、上蓋４は固定具５により閉まった状態で維持されるため、スケール板２は常に魚長を測定可能な状態にある。  
【００４２】
魚尺計付コンソールボックスＡは舟Ｂの側壁Ｂ１に引っ掛かるように設置しておけるので、狭い舟上で測定のために魚尺計を準備する手間が省ける。
【００４３】
魚尺計付コンソールボックスＡは、舟Ｂの両側の側壁Ｂ１に直接支持されるものであるため、重量の大きい魚を載置してもひっくり返ることがなく、安定して魚長の測定が可能である。
なお、釣りが終わった後は持ち上げることで舟から簡単に取り外すことができる。
【００４４】
また、図のように、一旦、使用しなくなったオールＣは、立壁縁部２１の切り欠き６に保持しておくことで、上述したように舟外に放り出される恐れがなく、また作業の邪魔にもならない。
【００４５】
図６は、魚尺計付コンソールボックスを舟に設置した場合の釣り用品を交換する状態を示す説明図である。
釣りの途中で、ルアー等を交換する必要が生じた場合、上蓋４の留め具５を外して、上蓋４を開き、筐体１の中から必要な釣り用品を取り出し、交換作業を行う。
この場合、わざわざ別の収納箱から釣り用品を取り出してくる必要がなく、効率的な作業が行える。
この場合も、前述した魚長を測定する時と同様に、オールＣを立壁縁部２１の切り欠き６に保持しておくことができる。
【００４６】
また、長尺の釣り竿も立壁縁部２１の切り欠き６に保持させておくことが可能であり、交換作業中、わざわざ釣り竿を手で押さえておく必要がない。
【００４７】
以上、本考案の好適な実施形態について説明したが、本考案は上記実施形態に限定されるものではない。
【００４８】
筐体１とスケール板２の連結には、先述した当て板金具、ネジ、接着剤等による方法の他、筐体１とスケール板２を一体として設けることも可能である。
【００４９】
また、筐体１の形状は、釣り用品の収納に適する形状であれば、直方体状の他に円柱状等、任意の形状を採用できる。
【００５０】
筐体１を複数個設けることも可能であるが、この場合、筐体１はスケール板２が舟の側壁Ｂ１に載置できる部分を残せるように、スケール板２の長さより小さくする必要がある。
【００５１】
筐体１の内部に、仕切りを設けてもよい。これにより、筐体１に釣り用品を整理して収納することが可能となり、舟Ｂが移動した際にも釣り用品が交じり合わずに、整理された状態を維持できる。
この仕切りは、筐体１と一体に設けても、別体に設けても良い。
【００５２】
留め具５をパッチン金具とせず、他の適宜の施錠方式も採用できる。
例えば、筐体１と上蓋４にそれぞれ回動自在なフックと輪を設け、フックを輪に引っ掛けるフック式とすることができる。
【００５３】
スケール板２を長方形状とせず、舟Ｂの舳先の平面形状に合わせた形状とすることも可能であり、その場合、スケール板２の面積が増え作業スペースを広くできる。
【００５４】
目盛３はスケール板２へのプリントの他、彫刻、レーザー焼付等の諸手法を利用できる。この場合、目盛３が剥がれることがなく、耐久性が向上する。
また、目盛３の細かさや文字の表示は、釣りの対象となる魚の種類に応じて適宜変更したものも使われる。
【００５５】
例えば、目盛３の上下に配する数字は、視認性が高ければ目盛の脇等の位置にも配置できる。
また、目盛３の上下の数字を一致させず、目盛３の上側にはスケール板２の右端からの長さ、下側にはスケール板２の左端からの長さを表示することも可能である。
【００５６】
これにより、魚長を測る際に魚の向きを揃える必要がなく、いずれの方向からでも簡易に魚長を測定することが可能となる。
この場合、目盛３の上側の数字と下側の数字の彩色を変更することにより、より視認性が増す。
【００５７】
また、立壁縁部２１の上端を側面視で直線状とせず、波形状等の形状とすることができる。
この波形状の凹凸に複数の釣り竿を転がることなく保持しておくことができる。
【００５８】
上蓋４の裏側に細かい目盛りを付与することで、上蓋４を開いた状態において小さい魚の魚長をより正確に測定することができる。
【産業上の利用可能性】
【００５９】
本考案は、簡単に舟Ｂに設置することができ、釣り用品類を収納しておくことができるので、魚長の測定を即座に行うことができ、また釣り用品の交換作業も効率的に行うことが可能である。
したがって、レジャー用、漁業用等の用途にも広く用いられ得るものである。
【符号の説明】
【００６０】
Ａ・・・魚尺計付コンソールボックス
１・・・筐体
２・・・スケール板
２１・・・立壁縁部
３・・・目盛
４・・・上蓋
４１・・・摘まみ部
５…留め具
６・・・切り欠き
Ｂ・・・舟
Ｂ１・・・側壁
Ｃ・・・オール
【図１】
0003213967.tif 000003
【図２】
0003213967.tif 000004
【図３】
0003213967.tif 000005
【図４】
0003213967.tif 000006
【図５】
0003213967.tif 000007
【図６】
0003213967.tif 000008
【手続補正書】
【提出日】平成29年10月12日(2017.10.12)
【手続補正１】
【補正対象書類名】実用新案登録請求の範囲
【補正対象項目名】全文
【補正方法】変更
【補正の内容】
【実用新案登録請求の範囲】
【請求項１】
釣り用の魚尺計付コンソールボックスであって、
舟の側壁に支持されて使用されるものであり、
収納空間を有する筐体と、
該筐体の上側に設けられてそれより左右に長いスケール板とよりなり、
スケール板の上面に目盛が設けられていることを特徴とする魚尺計付コンソールボックス。
【請求項２】
前記スケール板の一部が前記筐体の上蓋を構成し、
前記上蓋が開閉自在に枢着されていることを特徴とする請求項１記載の魚尺計付コンソールボックス。
【請求項３】
前記目盛が前記上蓋を含む前記スケール板の全長にわたって連続して設けられていることを特徴とする請求項２記載の魚尺計付コンソールボックス。
【請求項４】
前記スケール板が立壁縁部を有し、
左右の立壁縁部には一対の切り欠きが設けられていることを特徴とする請求項１〜３いずれか１項に記載の魚尺計付コンソールボックス。
【請求項５】
ステンレスよりなることを特徴とする請求項１〜４いずれか１項に記載の魚尺計付コンソールボックス。
【請求項６】
合成樹脂よりなることを特徴とする請求項１〜４いずれか１項に記載の魚尺計付コンソールボックス。
【手続補正２】
【補正対象書類名】明細書
【補正対象項目名】００１４
【補正方法】変更
【補正の内容】
【００１４】
本考案は（３）、目盛が上蓋を含むスケール板の全長にわたって連続して設けられている上記（２）記載の魚尺計付コンソールボックスに存する。